(57)【要約】      （修正有）【課題】構造が簡単で実用的であり、取り付け及び取り外しが容易で低コストなファンガード用留め具構造を提供する。【解決手段】締結リング１の外壁に凸設された第１のラグ２及び第２のラグ３と、一端が第１のラグ２にヒンジ接続された留め具４とを含み、留め具４は、第２のラグ３に対向する位置に、第２のラグ３が通過する留め孔５が開けられており、第２のラグ３の上端は、留め孔５の外に伸出するとともに固定孔６が開けられており、固定孔６内に固定部材が挿装され、固定部材の少なくとも一端は、固定孔６の外に伸出して留め具４の外側を塞ぎ止めており、留め具４の内側に位置決めブロック１７が凸設されており、締結リング１は、位置決めブロック１７に対向する位置に、位置決めブロック１７が通過する位置決め孔８が開けられており、位置決めブロック１７の下端は、位置決め孔８を通過した後にファンガードの外縁フレームの外側を塞ぎ止めることが可能である。【選択図】図２
0003216970.tif 000002
【実用新案登録請求の範囲】
【請求項１】
ファンガード用留め具構造であって、締結リングの外壁に凸設された第１のラグ及び第２のラグと、一端が前記第１のラグにヒンジ接続された留め具とを含み、前記留め具は、前記第２のラグと対向する位置に、前記第２のラグが通過する留め孔が開けられており、前記第２のラグの上端は、前記留め孔の外に伸出するとともに固定孔が開けられており、該固定孔内に固定部材が挿装され、該固定部材の少なくとも一端は、前記固定孔の外に伸出して前記留め具の外側を塞ぎ止めており、前記留め具の内側に位置決めブロックが凸設されており、前記締結リングは、前記位置決めブロックと対向する位置に、前記位置決めブロックが通過する位置決め孔が開けられており、前記位置決めブロックの下端は、前記位置決め孔を通過した後にファンガードの外縁フレームの外側を塞ぎ止めることが可能であるファンガード用留め具構造。
【請求項２】
前記位置決めブロックの下端に、ファンガードのメッシュバーが伸入する位置決め溝が開けられている
ことを特徴とする請求項１に記載のファンガード用留め具構造。
【請求項３】
前記留め具の他端は、自由端であり、前記締結リングから離れる方向に向かって凸起するハンドル凸部が設けられている
ことを特徴とする請求項１又は２に記載のファンガード用留め具構造。
【請求項４】
前記第１のラグの上端にヒンジ接続孔が開けられており、前記留め具の一端に、対向する２つのカンチレバーが設けられており、前記２つのカンチレバーの対向する２つの面に、前記ヒンジ接続孔内に回転可能に取り付けられたヒンジ接続柱がそれぞれ凸設されている
ことを特徴とする請求項１又は２に記載のファンガード用留め具構造。
【考案の詳細な説明】
【技術分野】
【０００１】
本考案は、家電分野に関し、特に、ファンガード用留め具構造に関する。
【背景技術】
【０００２】
従来技術におけるファンガードは、通常、前後に接続された２つのガードで構成されており、２つのガード（前ガードと後ガードと）の間は、一般的に、切欠き部を有する締結リングによって固定されているが、締結リングの固定方法としては、締結リングの切欠き部箇所においてボルトとナットとのロック係合によって接続されるのが一般的である。このような構造は、取り付け及び取り外しの過程において、締結リングの切欠き部の隔たりを合わせる弾性力を克服する必要があると同時に、ドライバーを使用しないと操作できず、操作に手間がかかるだけでなく、面倒で、取り付けや取り外しが非常に不便であるという欠点がある。
【考案の概要】
【０００３】
従来技術に存在している上記の欠点を克服するために、本考案は、構造が簡単でコンパクトであり、取り付け及び取り外しが非常に容易で迅速なファンガード用留め具構造を提供する。
【０００４】
本考案は、その課題を解決するための手段が、以下の通りである。
ファンガード用留め具構造であって、締結リングの外壁に凸設された第１のラグ及び第２のラグと、一端が前記第１のラグにヒンジ接続された留め具とを含み、前記留め具は、前記第２のラグと対向する位置に、前記第２のラグが通過する留め孔が開けられており、前記第２のラグの上端は、前記留め孔の外に伸出するとともに固定孔が開けられており、該固定孔内に固定部材が挿装され、該固定部材の少なくとも一端は、前記固定孔の外に伸出して前記留め具の外側を塞ぎ止めており、前記留め具の内側に位置決めブロックが凸設されており、前記締結リングは、前記位置決めブロックと対向する位置に、前記位置決めブロックが通過する位置決め孔が開けられており、前記位置決めブロックの下端は、前記位置決め孔を通過した後にファンガードの外縁フレームの外側を塞ぎ止めることが可能である。
【０００５】
さらに、前記位置決めブロックの下端に、ファンガードのメッシュバーが伸入する位置決め溝が開けられていてもよい。
【０００６】
さらに、前記留め具の他端は、自由端であり、前記締結リングから離れる方向に向かって凸起するハンドル凸部が設けられていてもよい。
【０００７】
さらに、前記第１のラグの上端にヒンジ接続孔が開けられており、前記留め具の一端に、対向する２つのカンチレバーが設けられており、前記２つのカンチレバーの対向する２つの面に、前記ヒンジ接続孔内に回転可能に取り付けられたヒンジ接続柱がそれぞれ凸設されていてもよい。
【０００８】
本考案は、ファンガードに用いられるものであり、取り付けの際、前後のガードを締結リングによって組み立て、ファンガードの外縁フレームを締結リング内に取り付けてから、留め具を回して留め具をその一端と第１のラグのヒンジとの接続箇所周りに回転させ、締結リング上の第２のラグを留め具上の留め孔内に挿入するとともに、留め具上の位置決めブロックを締結リング上の位置決め孔内に伸入させてファンガードの外縁フレームの外側を塞ぎ止めるようにすることで、ファンガードを締結リング内に規制し、その後、第２のラグの固定孔内に固定部材を挿装すると、留め具が固定部材によって締結リングに固定され、ファンガードに対するロック固定が実現され、取り付けが非常に容易である。取り外しの際、固定部材を固定孔内から取り出してから、留め具を引き回して留め具の自由端を締結リングから離すことで、第２のラグが留め孔内から抜け出し、位置決めブロックが位置決め孔から抜け出し、留め具の位置決めブロックがファンガードの外縁フレームの外側を塞ぎ止めなくなり、こうして、ファンガードを取り外すことができ、取り外しが容易で迅速である。
【０００９】
本考案の有益な効果は、以下の通りである。１、従来のネジ接続の代わりに、留め具と締結リングとの協働によってファンガードを固定しており、構造が簡単で実用的であり、取り付け及び取り外しが非常に容易で低コストである。２、位置決めブロックに位置決め溝が設けられており、ファンガードのメッシュバーは、位置決め溝内に係止され、更にファンガードを位置決めしており、ファンガードが使用中に回転することを防止するとともに、位置決めブロックとメッシュバーとの干渉を回避することができる。３、留め具の自由端にハンドル凸部が設けられており、取り外しの際、ハンドル凸部を引き回すだけでよいので、取り外しが容易である。４、留め具の一端がヒンジ接続柱を介して第１のラグのヒンジ接続孔内にヒンジ接続されており、構造が簡単で、取り付けが容易である。
【図面の簡単な説明】
【００１０】
【図１】図１は本考案の立体図である。
【図２】図２は本考案の分解図である。
【図３】図３は本考案の使用図である。
【考案を実施するための形態】
【００１１】
以下、図面及び具体的な実施形態に基づいて、本考案を更に詳しく説明する。
【００１２】
図１、図２、図３を参照すると、ファンガード用留め具構造であって、締結リング１の外壁に凸設された第１のラグ２及び第２のラグ３と、一端が前記第１のラグにヒンジ接続された留め具４とを含み、前記留め具４は、前記第２のラグに対向する位置に、前記第２のラグ３が通過する留め孔５が開けられており、前記第２のラグ３の上端は、前記留め孔の外に伸出するとともに固定孔６が開けられており、該固定孔６内に固定部材が挿装され、該固定部材の少なくとも一端は、前記固定孔６の外に伸出して前記留め具４の外側を塞ぎ止めており、前記留め具４の内側には位置決めブロック７が凸設されており、前記締結リング１は、前記位置決めブロックに対向する位置に、前記位置決めブロック７が通過する位置決め孔８が開けられており、前記位置決めブロック７の下端は、前記位置決め孔を通過した後にファンガード９の外縁フレームの外側を塞ぎ止めることが可能である。
【００１３】
前記位置決めブロック７の下端に、ファンガード９のメッシュバーが伸入する位置決め溝１０が開けられており、ファンガードのメッシュバーは、位置決め溝１０内に係止され、更にファンガード９を位置決めしており、ファンガードが使用中に回転することを防止するとともに、位置決めブロック７とメッシュバーとの干渉を回避することができる。
【００１４】
前記留め具４の他端は、自由端であり、前記締結リング１から離れる方向に向かって凸起するハンドル凸部１１が設けられており、取り外しの際、ハンドル凸部１１を引き回すだけでよいので、取り外しが容易である。
【００１５】
前記第１のラグ２の上端にヒンジ接続孔１２が開けられており、前記留め具４の一端に、対向する２つのカンチレバー（腕木）１３が設けられており、前記２つのカンチレバーの対向する２つの面に、前記ヒンジ接続孔１２内に回転可能に取り付けられたヒンジ接続柱１４がそれぞれ凸設されており、構造が簡単で、取り付けが容易である。
【００１６】
本考案は、ファンガード９に用いられるものであり、取り付けの際、前後のガードを締結リング１によって組み立て、ファンガードの外縁フレームを締結リング１内に取り付けてから、留め具４を回して留め具をその一端と第１のラグ２のヒンジとの接続箇所周りに回転させ、締結リング１上の第２のラグ３を留め具４上の留め孔５内に挿入するとともに、留め具４上の位置決めブロック７を締結リング１上の位置決め孔８内に伸入させてファンガード９の外縁フレームの外側を塞ぎ止めるようにすることで、ファンガード９を締結リング１内に規制し、その後、第２のラグ３の固定孔６内に固定部材を挿装すると、留め具４が固定部材によって締結リング１に固定され、ファンガード９に対するロック固定が実現され、取り付けが非常に容易である。取り外しの際、固定部材を固定孔６内から取り出してから、留め具４を引き回して留め具の自由端を締結リング１から離すことで、第２のラグ３が留め孔５内から抜け出し、位置決めブロック７が位置決め孔８から抜け出し、留め具４の位置決めブロック７がファンガード９の外縁フレームの外側を塞ぎ止めなくなり、こうして、ファンガードを取り外すことができ、取り外しが容易で迅速である。
【図１】
0003216970.tif 000003
【図２】
0003216970.tif 000004
【図３】
0003216970.tif 000005